(57)【要約】  一実施形態に係る空気調和機の室内ユニットは、側板を含む筐体と、前記筐体に収容された熱交換器と、前記熱交換器の下方に配置され、前記熱交換器に生じた結露水を受けるドレンパンと、前記ドレンパンに溜る水を排出するポンプと、前記ポンプを前記側板に固定する固定具と、を備えている。前記固定具は、前記ドレンパンに対向する下面と、前記下面の反対側の上面とを有している。前記ポンプは、前記下面と前記ドレンパンとの間に配置されている。さらに、前記上面は、前記側板から離れるに連れて前記ドレンパン側に下降するように傾斜している。
2020194555.tif 000002
【特許請求の範囲】
【請求項１】
側板を含む筐体と、
前記筐体に収容された熱交換器と、
前記熱交換器の下方に配置され、前記熱交換器に生じた結露水を受けるドレンパンと、
前記ドレンパンに溜る水を排出するポンプと、
前記ポンプを前記側板に固定する固定具と、を備え、
前記固定具は、前記ドレンパンに対向する下面と、前記下面の反対側の上面とを有し、
前記ポンプは、前記下面と前記ドレンパンとの間に配置され、
前記上面は、前記側板から離れるに連れて前記ドレンパン側に下降するように傾斜している、
空気調和機の室内ユニット。
【請求項２】
前記側板に設けられた接続口と前記ポンプとに接続され、前記ポンプにより前記ドレンパンから汲み上げられる水を前記接続口に送るホースを備え、
前記上面は、前記ホースに対向している、
請求項１に記載の室内ユニット。
【請求項３】
前記固定具は、前記上面から突出するとともに前記側板に沿って延びる第１リブを有する、
請求項１に記載の室内ユニット。
【請求項４】
前記固定具は、前記上面から突出する第２リブおよび第３リブをさらに有し、
前記第２リブは、前記第１リブの一端に接続されるとともに前記側板から離れる方向に延び、
前記第３リブは、前記第１リブの他端に接続されるとともに前記側板から離れる方向に延びる、
請求項３に記載の室内ユニット。
【請求項５】
前記上面は、前記ホースと対向する凹部を有し、
前記固定具は、前記凹部において前記上面から前記下面に貫通する孔を有する、
請求項２に記載の室内ユニット。
【請求項６】
前記ドレンパンの水位を検出するフロートスイッチをさらに備え、
前記固定具は、前記フロートスイッチを保持する保持部をさらに有する、
請求項１に記載の室内ユニット。
【請求項７】
前記保持部は、前記下面よりも前記ドレンパン側に延びるとともに先端で前記フロートスイッチを保持するアームを有し、
前記アームは、前記上面に繋がる傾斜面を有する、
請求項６に記載の室内ユニット。
【請求項８】
前記固定具は、樹脂材料で構成されている、
請求項１ないし７のうちいずれか１項に記載の室内ユニット。
【発明の詳細な説明】
【技術分野】
【０００１】
本発明の実施形態は、空気調和機の室内ユニットに関する。
【背景技術】
【０００２】
例えば天井埋め込み型の空気調和機においては、室内ユニットが天井裏から吊り下げられている。室内ユニットは、送風装置と、熱交換器と、これらを収容する筐体とを備えている。さらに、筐体の内部には、熱交換器における結露によって発生する水を受けるドレンパンと、ドレンパンに溜った水を筐体に設けられた排水用の接続口に送るドレンポンプとが配置される。【０００３】
ドレンポンプは筐体の側板の近傍に固定具によって固定され、接続口も当該側板に設けられることが多い。ドレンポンプと接続口とは、ホースによって接続される。ドレンパンに溜る水は低温であるため、この水がホースを通るとその表面に結露が生じ得る。【０００４】
例えばドレンポンプや固定具の上にホースを通すことで、これらを横並びにする場合よりも、筐体の幅を小さくすることができる。しかしながらこの構成においては、ホースの表面の結露により生じた水が滴下すると、この水が下方の固定具等をつたって側板に至り、筐体の外に漏れる可能性がある。天井埋め込み型以外の空気調和機の室内ユニットにおいても同様の問題が生じ得る。
【先行技術文献】
【特許文献】
【０００５】
【特許文献１】国際公開第２０１２／１７６８０５号公報
【発明の概要】
【発明が解決しようとする課題】
【０００６】
本発明が解決しようとする課題は、ドレンポンプ近傍において結露により生じる水の筐体外への漏れを抑制可能な室内ユニットを提供することである。
【課題を解決するための手段】
【０００７】
一実施形態に係る空気調和機の室内ユニットは、側板を含む筐体と、前記筐体に収容された熱交換器と、前記熱交換器の下方に配置され、前記熱交換器に生じた結露水を受けるドレンパンと、前記ドレンパンに溜る水を排出するポンプと、前記ポンプを前記側板に固定する固定具と、を備えている。前記固定具は、前記ドレンパンに対向する下面と、前記下面の反対側の上面とを有している。前記ポンプは、前記下面と前記ドレンパンとの間に配置されている。さらに、前記上面は、前記側板から離れるに連れて前記ドレンパン側に下降するように傾斜している。
【図面の簡単な説明】
【０００８】
【図１】図１は、一実施形態に係る室内ユニットの外観を示す斜視図である。
【図２】図２は、上記室内ユニットの内部を示す概略的な斜視図である。
【図３】図３は、上記室内ユニットの概略的な断面図である。
【図４】図４は、上記室内ユニットの概略的な側面図である。
【図５】図５は、上記室内ユニット内部のドレンポンプ近傍の概略的な斜視図である。
【図６】図６は、図５に示したドレンポンプ、固定具およびフロートスイッチを拡大して示す斜視図である。
【図７】図７は、図６に示した各要素の概略的な上面図である。
【図８】図８は、図６に示した各要素の概略的な側面図である。
【図９】図９は、図７におけるＩＸ−ＩＸ線に沿う各要素の概略的な断面図である。
【図１０】図１０は、図７におけるＸ−Ｘ線に沿う各要素の概略的な断面図である。
【発明を実施するための形態】
【０００９】
一実施形態につき、図面を参照しながら説明する。  
図１は、本実施形態に係る室内ユニット１の外観を示す斜視図である。図２は、室内ユニット１の内部を示す概略的な斜視図である。図３は、室内ユニット１の概略的な断面図である。室内ユニット１は、例えば屋内に配置され、屋外に配置された室外ユニットと冷媒配管を介して接続される。室内ユニット１、室外ユニットおよび冷媒配管により、冷凍サイクルを備えた空気調和機が構成される。
【００１０】
図１に示すように、室内ユニット１は、筐体２と、筐体２の下面を覆うパネル３とを備えている。筐体２の外周面には、複数の吊り金具２ａが設けられている。これら吊り金具２ａを天井裏の梁から吊り下げられた吊りボルトに連結することにより、室内ユニット１が空調対象の空間の天井に固定される。
【００１１】
パネル３は、本体３０と、吸込み口３１と、吹出し口３２とを有している。吸込み口３１は、本体３０に対して取り外し可能なグリル３３と、グリル３３の内側に配置されたフィルタ３４（図３参照）とを含む。吹出し口３２は、本体３０に対して開閉可能なフラップ３５を含む。図１においては、フラップ３５により吹出し口３２が閉じられた状態を示している。
【００１２】
図２に示す内部構造は、パネル３および後述のドレンパン５０を取り外して、筐体２の内部を図１における下方から見たものに相当する。筐体２は、パネル３側（図２における上側）が開口した箱型である。具体的には、筐体２は、天井への取り付け時には室内ユニット１の上面となる長方形の天板２０と、天板２０の一方の短辺に沿う第１側板２１と、天板２０の他方の短辺に沿う第２側板２２と、天板２０の一方の長辺に沿う第３側板２３とを含む。
【００１３】
なお、筐体２は、天板２０の他方の長辺に沿う第４側板２４（図１参照）をさらに含むが、図２においてはこの第４側板２４を省略するとともに、第４側板２４に沿って配置される断熱材２５の一部を破断している。例えば、天板２０および各側板２１〜２４は、いずれも金属製である。断熱材２５は、例えば発泡スチロールなどの発泡プラスチックで構成することができる。
【００１４】
筐体２の内部には、仕切り板２６が筐体２の長手方向に沿って配置されている。筐体２の内部空間は、仕切り板２６によって送風室Ａと熱交換室Ｂとに区画されている。送風室Ａには、送風装置４が配置されている。熱交換室Ｂには、熱交換器５が配置されている。
【００１５】
図３に示すように、熱交換器５とパネル３との間には、熱交換器５から滴下するドレン水を受けるドレンパン５０が配置されている。ドレンパン５０は、例えば発泡スチロールなどの発泡プラスチックで構成することができる。
【００１６】
図２に示すように、熱交換器５と第１側板２１との間には、ドレンパン５０に溜ったドレン水を排出するためのドレンポンプ６等が配置されている。第１側板２１には、冷媒が流れる配管を接続するための接続口５１ａ，５１ｂと、ドレン水を排出する配管を接続するための接続口６０とが設けられている。接続口５１ａ，５１ｂは、熱交換器５に接続されている。接続口６０は、ドレンポンプ６に接続されている。
【００１７】
送風装置４は、ファンモータ４０と、一対のファンユニット４１ａ，４１ｂと、回転軸４２とを備えている。ファンユニット４１ａ，４１ｂは、ファンモータ４０を挟んで向かい合うように配置されている。回転軸４２は、ファンモータ４０によって回転可能に支持されており、両端がそれぞれファンユニット４１ａ，４１ｂに向けて延出している。なお、送風装置４が備えるファンユニットの数は、２つに限定されない。
【００１８】
図２および図３に示すように、ファンユニット４１ａ，４１ｂは、回転軸４２に接続された多翼ファン４３と、多翼ファン４３を収容するファンケース４４とを備えている。ファンケース４４は、吸気孔４５およびノズル部４６を有している。ノズル部４６は、熱交換室Ｂに開口するとともに、熱交換器５と向かい合っている。
【００１９】
図３に示すように、熱交換器５は、複数の板状のフィン５２と、冷媒が流れる複数の伝熱管５３とを備えている。各フィン５２は、送風室Ａ側の一端が他端よりも下方（パネル３に向かう方向）に位置するように傾斜している。複数のフィン５２は、室内ユニット１の長手方向（第１側板２１から第２側板２２に向かう方向）に並んでいる。複数の伝熱管５３は、室内ユニット１の長手方向に延びており、各フィン５２を貫通している。
【００２０】
各伝熱管５３を含む熱交換器５の流路は、接続口５１ａ，５１ｂに接続されている。すなわち、接続口５１ａ，５１ｂの一方から供給される冷媒は、各伝熱管５３を通った後、接続口５１ａ，５１ｂの他方へと排出される。
【００２１】
送風室Ａは、吸込み口３１に通じている。多翼ファン４３が回転すると、空気が吸込み口３１を通じて送風室Ａに取り込まれる。さらに、当該空気は、吸気孔４５を通じて多翼ファン４３の内側に吸い込まれ、ノズル部４６から熱交換器５に向けて吹き出される。熱交換器５は、当該空気を冷気または暖気の熱交換空気に変える。熱交換空気は、吹出し口３２を通じて空調対象の空間に送り出される。
【００２２】
図２に示すように、第１側板２１の近傍には、電装ユニット２７が配置されている。電装ユニット２７は、第１電気部品箱２７ａと、第２電気部品箱２７ｂとを含む。第１電気部品箱２７ａは、第１側板２１の外部に位置している。第２電気部品箱２７ｂは、送風装置４と第１側板２１との間に位置している。
【００２３】
各電気部品箱２７ａ，２７ｂは、例えば複数のＩＣチップが実装された回路基板や、リアクタおよび端子台などの各種の電装品を含む。これら電装品は、送風装置４やドレンポンプ６などの室内ユニット１の電気的要素を制御する。
【００２４】
図４は、図１に示した室内ユニット１を第１側板２１の側から見た概略的な側面図である。第１側板２１には、上述の接続口５１ａ，５１ｂ，６０および第１電気部品箱２７ａ等が配置されている。
【００２５】
図４の例においては、第１電気部品箱２７ａが第３側板２３寄りに位置し、接続口５１ａ，５１ｂが第４側板２４寄りに位置している。接続口６０は、第１電気部品箱２７ａと接続口５１ａ，５１ｂとの間に位置している。
【００２６】
接続口６０の根本部分には、フランジ６０ａが設けられている。接続口６０は、このフランジ６０ａに設けられた貫通孔を通じて、第１側板２１の雌ねじに対しねじＳ１を挿入することにより、第１側板２１に接続されている。また、フランジ６０ａの下方において、第１側板２１には、３つのねじＳ２が挿入される貫通孔が設けられている。各ねじＳ２は、後述する固定具７を第１側板２１に接続する。
【００２７】
接続口５１ａ，５１ｂの近傍には、第１側板２１に対して着脱自在な第１蓋体２１ａが設けられている。また、第１電気部品箱２７ａには、第１電気部品箱２７ａに対して着脱自在な第２蓋体２１ｂが設けられている。第１側板２１の近傍に配置された各要素に対するメンテナンス等の作業は、これら蓋体２１ａ，２１ｂを取り外すことで現れる点検口や、パネル３およびドレンパン５０を取り外すことで現れる筐体２の下部開口を通じて行うことができる。
【００２８】
図５は、ドレンポンプ６の近傍における筐体２の内部を示す概略的な斜視図である。なお、図５においては、天板２０、第４側板２４、断熱材２５、熱交換器５、接続口５１ａ，５１ｂと熱交換器５とを接続するための配管等を省略している。
【００２９】
ドレンポンプ６は、固定具７によって第１側板２１に対し固定されている。固定具７は、例えば樹脂製であり、ドレンポンプ６の上部を覆っている。すなわち、ドレンポンプ６は、固定具７とドレンパン５０との間に位置している。固定具７を構成する樹脂材料としては、例えばＡＢＳ樹脂やＰＳ樹脂を用いることができる。
【００３０】
ドレンパン５０は、ドレンポンプ６と対向する位置に、凹部５４を有している。さらに、この凹部５４には、排水口５５が設けられている。排水口５５は、栓体５６で閉じられている。
【００３１】
ドレンポンプ６は、本体６１と、本体６１の下端に位置する吸引口６２と、吸引口６２から吸い込んだ水が通るドレンホース６３とを備えている。吸引口６２は、凹部５４に位置している。ドレンホース６３は、第１側板２１から遠ざかる方向へ本体６１から延出し、その後に上方へ屈曲し、さらに第１側板２１に向けて屈曲している。ドレンホース６３の先端には、接続口６０が取り付けられている。ドレンポンプ６が動作すると、ドレンパン５０に溜った水が吸引口６２から吸い込まれ、この水がドレンホース６３を通って接続口６０に送られる。
【００３２】
第１側板２１の内面は、板状の断熱材２８によって覆われている。断熱材２８は、例えば発泡スチロールなどの発泡プラスチックで構成することができる。断熱材２８は、固定具７が通される矩形状の開口２８ａと、接続口６０のボス６０ｂ（図６参照）が通される円形の開口２８ｂと、上述の接続口５１ａ，５１ｂと熱交換器５とを接続する配管が通される一対の円形の開口２８ｃ，２８ｄとを有している。なお、第１側板２１にも開口２８ｂ，２８ｃ，２８ｄに対向する開口が形成されている。
【００３３】
図５の例においては、ドレンパン５０の凹部５４の上方にフロートスイッチ８が配置されている。図示を省略するが、フロートスイッチ８は、ドレンパン５０の水位情報を上述の電装ユニット２７に出力する制御回路や配線をさらに備えている。水位情報は、ドレンパン５０の水位が所定位置まで上昇したことに応じて電装ユニット２７に出力される信号であってもよい。また、水位情報は、電装ユニット２７に常時出力される、ドレンパン５０の水位を示す信号であってもよい。例えば、電装ユニット２７は、このような水位情報に基づきドレンパン５０の水位が所定位置まで上昇したと判断した場合に、室内ユニット１を異常停止する。
【００３４】
図６は、図５に示したドレンポンプ６、固定具７およびフロートスイッチ８を拡大して示す斜視図である。図７は、図６に示した各要素の概略的な上面図である。図８は、図６に示した各要素の概略的な側面図である。図９は、図７におけるＩＸ−ＩＸ線に沿う各要素の概略的な断面図である。図１０は、図７におけるＸ−Ｘ線に沿う各要素の概略的な断面図である。なお、図７ないし図１０においては、ドレンホース６３の一部を省略している。
【００３５】
各図に示すように、固定具７は、第１端部７ａと、第２端部７ｂと、第２端部７ｂの反対側の第３端部７ｃと、第１端部７ａの反対側の第４端部７ｄとを有している。第１端部７ａは、第１側板２１に対向する。第２端部７ｂは、仕切り板２６に対向する。図７に示すように、第２端部７ｂは、第１端部７ａに対して垂直に延び、中腹において緩やかに屈曲している。第３端部７ｃは、屈曲することなく第１端部７ａに対して垂直に延びている。
【００３６】
第１端部７ａには、３つの雌ねじ７０が設けられている。これら雌ねじ７０には、図４に示した３つのねじＳ２がそれぞれねじ込まれる。これにより、固定具７が第１側板２１に連結される。
【００３７】
固定具７は、ドレンホース６３に対向する上面Ｆ１と、ドレンポンプ６に対向する下面Ｆ２とを有している。上面Ｆ１は、円形の第１凸部７１と、第１凸部７１の周囲に配置された３つの第２凸部７２とを有している。
【００３８】
図９に示すように、第１凸部７１の下方にはドレンポンプ６の本体６１が位置する。本体６１と固定具７の下面Ｆ２との間には、隙間が存在する。ドレンポンプ６は、本体６１から各第２凸部７２の位置に向けて延びる３つの取付部６４を有している。取付部６４の先端部は、第２凸部７２の下方において、下面Ｆ２に接触している。
【００３９】
図７および図８における左方の第２凸部７２に破線で示すように、第２凸部７２の内部には、下面Ｆ２に開口する雌ねじ７２ａが設けられている。取付部６４の先端部には貫通孔が設けられており、この貫通孔に対して下方からねじＳ３が挿入され、当該ねじＳ３が雌ねじ７２ａにねじ込まれている。他の第２凸部７２および取付部６４についても同様に、ねじＳ３によって連結されている。このようにして、ドレンポンプ６と固定具７とが互いに固定される。
【００４０】
図１０に示すように、上面Ｆ１は、各凸部７１，７２を除き、第１端部７ａ側の縁よりも第４端部７ｄ側の縁が重力方向の下方に位置するように水平方向に対して角度θ１（鋭角）で傾斜している。他の観点から言えば、上面Ｆ１は、第１側板２１から離れるに連れてドレンパン５０側に下降するように傾斜している。
【００４１】
図６および図７に示すように、上面Ｆ１には、第１端部７ａに沿う第１リブ７３ａと、第２端部７ｂに沿う第２リブ７３ｂと、第３端部７ｃに沿う第３リブ７３ｃとが設けられている。これらリブ７３ａ〜７３ｃは、いずれも上面Ｆ１から上方に向けて突出している。
【００４２】
第２リブ７３ｂは、第１リブ７３ａの一端に接続されている。第３リブ７３ｃは、第１リブ７３ａの他端に接続されている。図５に示すように固定具７を第１側板２１に取り付けた状態において、第１リブ７３ａは、断熱材２８の開口２８ａの内部で第１側板２１に沿って直線状に延びる。第２リブ７３ｂおよび第３リブ７３ｃは、第１側板２１から離れる方向に延びる。
【００４３】
図６に示すように、上面Ｆ１は、ドレンホース６３に対向する凹部７４を有している。凹部７４は、フランジ６０ａから突出するボス６０ｂとも対向している。凹部７４は、例えば緩やかな曲面である。上述の第１リブ７３ａは、凹部７４の形状に合わせて窪んでいる。
【００４４】
図７および図９に示すように、凹部７４と第１凸部７１との境界近傍には、上面Ｆ１から下面Ｆ２に貫通する孔７５が設けられている。凹部７４において、上面Ｆ１は、孔７５側の縁が第１端部７ａ側の縁よりも下方に位置するように角度θ２（鋭角）傾斜している。角度θ２は、角度θ１と同じであってもよいし、異なってもよい。
【００４５】
固定具７は、上述のフロートスイッチ８を保持するための保持部７６をさらに備えている。図７ないし図１０の例において、保持部７６は、第４端部７ｄから延出するアーム７７と、アーム７７の先端７７ａに設けられたスリット７８とを有している。
【００４６】
フロートスイッチ８は、スリット７８に通された軸８０と、軸８０に沿ってスライド可能なフロータ８１とを備えている。軸８０は、例えばボルトであり、一対のナットＮ１，Ｎ２によってアーム７７の先端７７ａに固定されている。ドレンパン５０の水位が上昇すると、フロータ８１が水面とともに上昇する。このフロータ８１の位置に応じた水位情報が、上述の通り電装ユニット２７に出力される。
【００４７】
アーム７７は、下面Ｆ２よりもドレンパン５０側に延びている。さらに、アーム７７は、上面Ｆ１に繋がる傾斜面Ｆ３を有している。傾斜面Ｆ３は、例えば図１０に示すように、異なる角度で傾斜する複数の部分を有してもよい。これら複数の部分の角度は、上述の角度θ１より大きくてもよい。他の例として、傾斜面Ｆ３は、全体的に一定の角度で傾斜してもよいし、曲面であってもよい。
【００４８】
上述の第３リブ７３ｃは、先端７７ａの近傍まで延びている。また、アーム７７は、第３リブ７３ｃに対向する第４リブ７９を有している。傾斜面Ｆ３は、これら第３リブ７３ｃおよび第４リブ７９によって挟まれている。
【００４９】
以上のような構成において、ドレンホース６３の表面で結露した水の少なくとも一部は、固定具７の上面Ｆ１に落ちる。本実施形態においては上面Ｆ１が筐体２の内側に向けて傾斜しているため、上面Ｆ１に落ちた水は、第１側板２１から離れる方向に流れる。例えば、この水は、上面Ｆ１からアーム７７の傾斜面Ｆ３へと流れ、先端７７ａからドレンパン５０に落ちる。あるいは、上面Ｆ１に落ちた水は、凹部７４に流れ、孔７５を通じてドレンパン５０に落ちる。
【００５０】
仮に、上面Ｆ１に落ちた水が第１側板２１に向かって流れる場合、この水が第１側板２１とパネル３との接続部分などから室内ユニット１の外に漏れたり、この水によって冷やされた第１側板２１の内外に結露が生じたりする可能性がある。そのため、第１側板２１に水が到達しないようにするための追加の部品や、第１側板２１が冷やされないようにするための追加の断熱材が必要となり、製造コストが上昇してしまう。
【００５１】
一方、本実施形態の構成においては、上面Ｆ１に落ちた水が第１側板２１に向かって流れないので、上記のような水漏れや第１側板２１における結露を抑制することができる。しかも、このような効果をドレンポンプ６の固定具７の形状により実現するので、追加の部品や追加の断熱材が不要である。
【００５２】
また、上面Ｆ１には、第１リブ７３ａ、第２リブ７３ｂおよび第３リブ７３ｃが設けられている。これらリブ７３ａ〜７３ｃにより、ドレンホース６３から上面Ｆ１に落ちた水が第１側板２１に到達することを、より確実に抑制できる。
【００５３】
さらに、上面Ｆ１には、第１端部７ａの近傍において、ドレンホース６３に対向する凹部７４および孔７５が設けられている。これら凹部７４および孔７５により、ドレンホース６３から第１端部７ａの近傍に落ちる水が下面Ｆ２側に排水されやすくなる。
【００５４】
上述のように固定具７を樹脂材料で構成する場合には、固定具７を金属材料で構成する場合に比べ、固定具７と第１側板２１との間の伝熱を抑制できる。そのため、第１側板２１が冷やされにくくなり、第１側板２１の内外における結露をより確実に抑制できる。
【００５５】
本実施形態における構成は、第１側板２１の近傍における水漏れや結露の抑制だけでなく、室内ユニット１のコンパクト化や、据え付け作業およびメンテナンス作業の効率向上の効果も奏する。
【００５６】
すなわち、仮にドレンホース６３をドレンポンプ６や固定具７と重力方向に重ならないように配置した場合、筐体２の幅が大きくなる。これに対し、本実施形態においては固定具７が第１側板２１に水が到達しにくい構造を有するために、ドレンホース６３を固定具７の上に配置することが可能となる。これにより、筐体２の幅を小さくすることができる。
【００５７】
さらに、本実施形態においては、固定具７がフロートスイッチ８を保持している。これにより、フロートスイッチ８を保持する別途の部材を配置する必要がないので、部品点数を削減できるとともに、筐体２をよりコンパクト化することが可能となる。
【００５８】
また、図４および図５に示すように、電装ユニット２７（第１電気部品箱２７ａ）、冷媒配管の接続口５１ａ，５１ｂ、ドレンポンプ６およびドレン水排出用の接続口６０等の要素が第１側板２１に沿って設けられている。そのため、据え付け作業やメンテナンス作業において、第１側板２１付近にアクセスすればこれらの要素に対する作業を行えるため、これらの要素が分散して配置されている場合よりも作業効率が向上する。
【００５９】
また、筐体２の内部において、熱交換器５と接続口５１ｂ，５１ａとを接続する配管、ドレンポンプ６、および電装ユニット２７が重力方向に重ならない。仮にこれらの要素が重力方向に重なった場合、少なくとも一部の要素にアクセスしづらくなり、据え付け作業やメンテナンス作業の効率が著しく低下し得る。これに対し、本実施形態の構成においては、そのような問題も生じない。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６１】
例えば、固定具７の形状は、上述の実施形態にて開示したものに限られない。固定具７の具体的な形状は、周囲に配置されるドレンポンプ６、ドレンホース６３、第１側板２１、仕切り板２６およびドレンパン５０等の形状に応じて、種々の態様に変形できる。
【００６２】
上述の実施形態においては、天井埋め込み型の室内ユニットにおけるドレンポンプ６の固定構造を開示した。この固定構造は、天井埋め込み型だけでなく、他種の室内ユニットにも適用できる。
【符号の説明】
【００６３】
１…室内ユニット、２…筐体、３…パネル、４…送風装置、５…熱交換器、２１〜２４…第１〜第４側板、６…ドレンポンプ、７…固定具、８…フロートスイッチ、６０…接続口、６１…ドレンポンプの本体、６２…吸引口、６３…ドレンホース、７３ａ…第１リブ、７３ｂ…第２リブ、７３ｃ…第３リブ、７４…凹部、７５…孔、７６…保持部、７７…アーム、Ｆ１…固定具の上面、Ｆ２…固定具の下面。
【図１】
2020194555.tif 000003
【図２】
2020194555.tif 000004
【図３】
2020194555.tif 000005
【図４】
2020194555.tif 000006
【図５】
2020194555.tif 000007
【図６】
2020194555.tif 000008
【図７】
2020194555.tif 000009
【図８】
2020194555.tif 000010
【図９】
2020194555.tif 000011
【図１０】
2020194555.tif 000012
【国際調査報告】
2020194555.tif 000013
2020194555.tif 000014
2020194555.tif 000015
2020194555.tif 000016